(57)【特許請求の範囲】
【請求項１】
互いに対向する第１及び第２の面を有する柔軟部材のマットと、
前記第１の面から伸び出る人工芝となるように前記マットに結合された人工部材の複数のファイバと、
前記複数のファイバを実質的に垂直に維持するように、前記第１の面上に頒布されて層形状を成す充填部材と、
前記複数のファイバの間で前記充填部材内に根付き、少なくとも１つの植物の種に属する複数の植物を有する天然芝と、を具備し、
前記人工芝のファイバは、
多角形の断面を有する主ブレードと、
前記主ブレードの少なくとも一部分の側面から延伸する湾曲形状を有する側面ウィングと、
前記側面ウィングの湾曲形状により規定され、前記主ブレードの長手方向に対して実質的に平行に形成されるチャンネルと、
を備えたことを特徴とするスポーツ及びレクレーション活動、及び／若しくは、観賞のための混合芝。
【請求項２】
前記チャンネルは、前記湾曲形状により一部若しくは全部が包囲される空間を形成し、前記空間内に前記充填部材が装填されて、前記充填部材内に、水分の貯水及び根を保留する請求項１に記載の混合芝。
【請求項３】
前記ウィングのそれぞれは、
前記主ブレードに連結された基端部と、
前記基端部に延伸した他端の末端部と、
前記末端部と前記基端部との間に設けられる中央部と、を具備し、
前記主ブレードの長手方向に対して直交する方向に延伸する請求項１に記載の混合芝。
【請求項４】
前記末端部は、
前記ウィングが略閉塞チャンネルを規定し、前記基端部、若しくは中央部に隣接する位置と、
前記ウィング及び前記主ブレードが略閉塞チャンネルを規定し、前記主ブレードに隣接する位置と、
前記ウィングが開口チャンネルを規定する場合で、前記末端部、前記ウィングの前記中央部及び前記主ブレードから離れた位置と、に設けられたグループから選択された位置に設置される、請求項３に記載の混合芝。
【請求項５】
少なくとも１つの第１及び第２の側面のウィングは、前記主ブレードから延出するように設けられ、
前記主ブレードに対して平行に配置された第１及び第２のチャンネルを夫々規定し、
前記主ブレードに関連する対向する側面に配置される、請求項１に記載の混合芝。
【請求項６】
前記主ブレードは、多角形断面を有し、
前記第１及び第２の側面のウィングは、前記主ブレードの多角形断面の対向する頂点から突出する、請求項１に記載の混合芝。
【請求項７】
前記充填部材は、
粒状、植物由来の繊維及び有機物質、若しくは、合成ゴムを溶け合わせた部材と、
エラストマー部材と、
植物由来の有機物質と、
無機部材と、
これらの組み合わせの内の少なくとも１つを具備する、請求項１に記載の混合芝。
【請求項８】
前記充填部材は、前記組み合わせの内の少なくとも１つの充填部材を用いて、
ゴム部材の層と、
砂若しくは砂利の無機部材の層と、
植物由来の有機物質の層と、
の内の少なくとも１つの層を形成する請求項７に記載の混合芝。
【請求項９】
前記各層において、
前記植物由来の有機物質は、ココナッツ繊維と、米殻と、コルクと、若しくはこれらの組み合わせと、から成る第１のグループから選択され、
前記ゴム部材は、天然ゴム、即ち生ゴムと、シリコンゴムと、ＳＢＲと、ＥＰＤＭと、ＳＥＢＳと、ＴＰＵと、若しくは、これらの組み合わせと、から成る第２のグループから選択され、
前記天然芝を作成するために適用される前記植物の種は、植物の単子葉種と、植物の双子葉種と、前記単子葉種及び前記双子葉種の組み合わせと、から成る第３のグループから選択される、請求項８に記載の混合芝。
【請求項１０】
前記マットは、雨水若しくは、かんがい用水の水抜きのために、１ｍｍ及び１５ｍｍ、好適には１ｍｍ及び１０ｍｍの間の直径幅を有する小さな複数の水抜き穴を有する、請求項１に記載の混合芝。
【請求項１１】
前記マットの第２の面は、スポンジ部材の層に結合され、
前記スポンジ部材は、前記天然芝の根が混合芝に固定することを補助するために突き抜ける規則的な多孔を有する、請求項１に記載の混合芝。
【請求項１２】
前記マットの第２の面は、不浸透性部材の層に結合され、
前記不浸透性の層は、前記植物の種が前記不浸透性の層上にのみに根付くように、前記混合芝の栽培場所、若しくは設置場所の表面への水分の到達を防止する、請求項１に記載の混合芝。
【請求項１３】
前記マットは、
上部の収納層と、
底部の収納層と、
前記上部の収納層及び前記底部の収納層の間に配置された水抜き層と、を有し、前記水抜き層は、前記底部の収納層から前記上部の収納層を離し、前記複数の人工部材のファイバは、前記水抜き層を横断する織り方によって前記マットに連結される、請求項１に記載の混合芝。
【請求項１４】
前記水抜き層は、湿気効果を有するように、
前記水抜き層はプラスチック部材の不規則に織りあわされたフィラメントの３次元網状組織を有し、
前記フィラメントは、弾力的な圧縮性の層を形成し、好適には、プラスチック部材のフィラメントは０．２ｍｍ及び１．５ｍｍの間、実用的に０．５ｍｍ及び１ｍｍの間、好適には０．８ｍｍ及び０．９ｍｍの間の直径幅を有し得る、請求項１３に記載の混合芝。
【請求項１５】
互いに対向する第１及び第２の面を有する柔軟部材のマットと、
多角形の断面を有する主ブレードと、前記主ブレードの少なくとも一部分の側面から延伸する湾曲形状を有する側面ウィングと、前記側面ウィングの湾曲形状により規定され、前記主ブレードの長手方向に対して実質的に平行に形成されるチャンネルと、を備えて、前記第１の面から伸び出る人工芝となるように前記マットに結合される人工部材の複数のファイバと、
前記複数のファイバを実質的に垂直に維持するように、前記第１の面上に撒かれて層形状を成す充填部材と、で構成される人工芝に、
前記充填部材内に根付き、少なくとも１つの植物の種に属する複数の植物を有する天然芝を混合させる芝を作成するための方法であって、
前記人工部材のファイバの少なくとも一部分は、前記充填層から少なくとも５ｍｍ伸び出るように連結され、前記ファイバを実質的に垂直に維持する、充填部材を前記マットの前記第１の面上に撒いて層状に形成し、
前記充填部材内に植物の種に属する種子及び／若しくは植物部分を植え付けて、
前記ファイバの高さを超える、前記充填部材内に根付いた天然芝を得るために前記植物の種の成長を補助する、工程を具備することを特徴とする、スポーツ、レクリエーションか活動、及び／若しくは、観賞のための芝を作成するための方法。
【発明の詳細な説明】
【技術分野】
【０００１】
本発明は、スポーツ、レクリエーション、若しくは観賞のための混合芝、即ち人工、及び、天然芝に関する。特に、本発明に係る混合芝は、サッカー、５人制サッカー、テニス、ホッケー、アメリカンフットボール、ゴルフ、運動競技、ラグビー、野球、及び、通常、芝の上で行われるその他のスポーツのようなスポーツのプレイフィールドで適用される。
【背景技術】
【０００２】
サッカー、ホッケー、クリケット、ラグビー等のスポーツ分野の芝は、土、若しくは、素地の上で育成された天然芝であることが知られている。天然芝は、高い美感、技術的及び環境的な性能を与える。
【０００３】
しかし、天候にだけでなく使用及び時間も、天然芝は、すぐに擦り切れ、高額な維持作業を必要とする。擦り切れた天然芝は、完全に修繕しなければ、プレイフィールドは、美感的にでこぼこで、利用者の潜在的な危険がある。
【０００４】
通常スポーツ分野に関係する激しい運動は、芝を修復するために十分な時間をおかずに各々使用の後に芝の特性を悪化させる。特に、運動能力に作用し、選手を危険にさらす、プレイフィールドは、その平面性、均一性及びその素地の抵抗性を低下させる。
【０００５】
これらの理由によって、グランド上でのパフォーマンス及びグリップの安定を現在の改善された人工の草の葉身及び粒状の充填部材、例えば砂若しくは弾性部材を有する、人工のプレイフィールドが、昨年に開発された。このような人工芝は、種々の材料で作成された面上に植え付けられることができる。
【０００６】
人工芝は、いくつかの技術的な欠陥を有し、その中には、利用者のための後の不快の原因となる環境の改良に加えてプレイフィールドの無視できない程の過熱することがある。前述の欠陥を避けるために複合のシステムは、天然及び人工の芝の混合を提案する。天然及び人工の複合のシステムは、米国特許公報６１４５２４８に記載されている。天然及び人工の複合のシステムは、草の葉身は人工芝に固定され、層は天然芝が植え付けられた土壌に置かれた生物分解可能な素地に実質的に設置される。時間で草の根は伸び、生物分解可能な素地は分解する。従って、根は素地の下部に配置された土に達し、土に根を根付く。
【０００７】
しかし、この方法は、土との相性に完全に依存され、実用的な制限を完全に有するので、人工芝は通常植え付けられた面に適用されない。
【０００８】
同様の出願人の名前で国際特許公開公報２００６００８５７９に開示されるような、人工ファイバと天然ファイバ、即ち、植物との両方を備えた、混合芝も存在する。正確に言えば、このような混合芝は、人工部材が人工芝を生成するために固定された生物分解可能でない人工部材の補助部材を有する。このとき、人工芝は、異なる要素を有する弛緩充填部材、例えば、弛緩ゴムの粒、プラスチック部材、無機物質、植物由来の有機物質、などで充填される。
【０００９】
弛緩充填部材は、特に実質的に垂直な人工部材のファイバを維持するための機能を有する。前述のように、さらに、混合芝は、天然ファイバ、即ち、植物を有し、植え付け工程、若しくは、早く植物を成長させ、支援部材の上に完全に配置された根を有する複数の植物の起始となる少なくとも１つの植物の種に属する植物部分の移植の工程を介して弛緩充填部材に植え付けられる。
【００１０】
このような混合芝は、弛緩充填部材の落下なく、容易に運ばれ、丸められ、転がされ、直ぐに使用可能であるような所望の支援面に所望の時期に配置され得る。
【００１１】
その他の、特に、混合芝タイルを備えた、混合芝が、韓国公開公報１００８６４２７６に開示されている。
【００１２】
しかし、混合芝に存在する植物の種は、前述のように、植物の種の植物の水分を取り除く、高い水抜き性能であり、かんがい用水の急激な流出を引き起こす弛緩充填部材の存在のために、主に、水圧の不足に影響され得る。
【００１３】
一方で、暖かい季節に頻繁に起こるかんがいは、芝の利用を制限し、栄養に関する栄養のある物質の分散と、地下の汚染とを引き起こす。
【発明の概要】
【００１４】
現在の正しい植物の成長と先行技術の混合芝に関連する植物の成長とを支援できる、特に、早く、使用される状態を長く存続することを支援する混合芝を提供することが本発明の特徴である。
【００１５】
フィールドの弾力性、ボールリバウンド、衝撃吸収の性能、シューズによって生じる引っ張り及び捩れに対する抵抗等に関係する、サッカー、５人制サイドサッカー、テニス、ホッケー、アメリカンフットボール、ゴルフ、運動競技、ラグビー、野球、のようなスポーツをするのに最適である技術的特徴を有する芝を提供することが、もう一つの本発明の特徴である。
【００１６】
容易に運ばれ、丸められ、損傷することなく転がされ、前述の運動及び／若しくは目的のためにすぐに使用するための支持面に所望の時期に配置され、容易に取り外され、直ぐに再使用され得る混合芝を提供することが本発明のさらなる特徴である。
【００１７】
重さにも耐えることができ、その特徴に影響することなく混合芝上での運動に集中できる混合芝を提供することが本発明のさらなる特徴である。
【００１８】
これら及びその他の特徴は、互いに対向する第１及び第２の面を有する柔軟部材のマットと、前記第１の面から伸び出る人工芝となるように前記マットに結合された人工部材の複数のファイバと、前記複数のファイバを実質的に垂直に維持するように、前記第１の面上に頒布されて層形状を成す充填部材と、前記複数のファイバの間で前記充填部材内に根付き、少なくとも１つの植物の種に属する複数の植物を有する天然芝と、を具備し、前記人工芝のファイバは、多角形の断面を有する主ブレードと、前記主ブレードの少なくとも一部分の側面から延伸する湾曲形状を有する側面ウィングと、前記側面ウィングの湾曲形状により規定され、前記主ブレードの長手方向に対して実質的に平行に形成されるチャンネルと、を備えたことを特徴とするスポーツ及びレクレーション活動、及び／若しくは、観賞するための一例の混合芝で達成され、この混合芝の主な特徴は、前記複数の人工部材のファイバの少なくとも１部分が、主ブレードと、前記主ブレードに実質的に平行であるチャンネルを形成するために湾曲された形状を有する、前記主ブレードから延出する少なくとも１つの側面のウィングと、を備えた外形形状を有することである。
【００１９】
このように、各チャンネルで、解れた充填部材を充填した後に、貯水部が植物の根で形成され得る。特に、チャンネルの外形は、水で占められた空間を部分的若しくは全体的に取り囲む。水は、高性能の水抜き部材である不揃いの充填部材の集合体よりも長時間持続する根による貯水部を実際に生成するために、主にチャンネルに蓄えられ、流れず、このように短時間で湿潤性を保存する。
【００２０】
特に、前記１若しくは各ウィングは、前記主ブレードに連結された基端部と、前記基端部に対向して配置された末端部と、前記末端部と前記基端部との間に設けられる中央部と、
を前記主ブレードに対して横断方向に有する。
【００２１】
好適には、前記末端部は、前記ウィングがほとんど閉じられたチャンネルを規定し、前記基端部、若しくは中央部に隣接する位置と、前記ウィング及び前記主ブレードがほとんど閉じられたチャンネルを規定し、前記主ブレードに隣接する位置と、前記ウィングが開口チャンネルを規定する場合で、前記末端部、前記ウィングの前記中央部及び前記主ブレードから離れた位置と、に設けられたグループから選択された位置に設置される。
【００２２】
少なくとも１つの第１及び第２の側面のウィングは、前記主ブレードから延出するように設けられ、前記主ブレードに対して平行に配置された第１及び第２のチャンネルを夫々規定する。
【００２３】
特に、第１及び第２の側面のウィングは、前記主ブレードに関連する対向する側面に配置される。
【００２４】
好適には、少なくとも１つの第１及び第２の側面のウィングは、前記主ブレードから延出するように設けられ、前記第１及び第２の側面のウィングは、各々、前記主ブレードに対して平行に配置された第１及び第２のチャンネルを規定する。
【００２５】
特に、前記第１及び第２の側面のウィングは、前記主ブレードに関連する対向する側面に配置される。
【００２６】
好ましくは、前記主ブレードは、多角形断面を有する。この場合、前記第１及び第２の側面のウィングは、前記主ブレードの多角形断面の対向する頂点から突出する。
【００２７】
特に、前記マットから延出する人工部材の２つの隣り合ったファイバの間のピッチは、０．５ｃｍ及び５ｃｍの間に設定されている。
【００２８】
本発明の最良の実施の形態で、前記複数の人工芝の人口部材のファイバは、第１の複数の線形ファイバと、所定の基準に従った前記線形ファイバに関連して交互に配置された前述の第２の複数の外形ファイバと、を有する。
【００２９】
好適には、前記充填部材は、粒状、植物由来の不揃いの繊維、若しくは、合成ゴムを溶け合わせた部材と、エラストマー部材と、植物由来の有機物質と、無機部材と、若しくは、これらの組み合わせと、の内の少なくとも１つを具備する。
【００３０】
好適には、前記充填部材は、ゴム部材の層と、砂若しくは砂利の無機部材の層と、植物由来の有機物質の層と、若しくは、これらの組み合わせと、の内の少なくとも１つを有する。
【００３１】
好適には、植物由来の有機物質は、例えば、コルク、ココナッツ繊維、リュウゼツラン繊維、穀物殻例えば米殻、泥炭、木屑、植物のかす、ブドウの種子（ブドウのヴィニヘラ種（vinifera）の種子）、植物の種の死んだ種子、農業及び食料のかす、堆肥、有機の調整剤、有機肥料、ひづめ及び角の粉末、焼いた革のカス、植物の廃棄物、及び、一般的な粒状及び／若しくは弛緩繊維の所望の植物由来の有機物質、を有するグループから選択される。特に、植物由来の有機物質は、望ましい水文条件を満たし、植物を成長させるために必要不可欠な栄養物質を供給する。
【００３２】
特に好適な実施形態で、植物由来の有機物質は、ココナッツ繊維、米殻、コルクを有するグループから選択される。
【００３３】
好適には、前記ゴム部材は、天然ゴム、即ち生ゴムと、シリコンゴムと、ＳＢＲと、ＥＰＤＭと、ＳＥＢＳと、ＴＰＵと、若しくは、これらの組み合わせと、から成るグループから選択される。
【００３４】
好ましくは、前記天然芝を作成するために適用される前記植物の種は、植物の単子葉種と、植物の双子葉種と、若しくはこれらの組み合わせと、から成るグループから選択される。
【００３５】
これらを通る根の繁殖を除けば、好適には、雨水の水抜きのための複数の小さな水抜き穴を有する。
【００３６】
特に、穴は、１ｍｍ及び１５ｍｍ、好適には、１ｍｍ及び１０ｍｍの間に設定された直径を有し得る。
【００３７】
好適には、マット上の複数の穴の密度は、１平方メートル（ｍ２）辺り１０穴乃至１０,０００穴の間に設定される。
【００３８】
本発明の一態様で、マットの第２の面は、スポンジ、若しくは、不浸透性部材の層に連結されている。
【００３９】
規則的な多孔を有するスポンジ部材の場合、根は、混合芝の固定を支援するためにこれらの多孔の中を通る。
【００４０】
不浸透性の層の場合、水が混合芝の栽培場所、若しくは設置場所の表面に達することを防止する。従って、植物の種は、不浸透性の層の上部にだけ根付く。
【００４１】
例えば、不浸透性部材の層の厚さは、６及び２５ｍｍの間、好適には８及び２０ｍｍの間、好ましくは、１０及び１５ｍｍの間に設定される。  
好適には、不浸透部材は、ポリウレタン樹脂である。  
本発明の一態様で、前記マットは、上部の収納層と、底部の収納層と、前記上部の収納層及び前記底部の収納層の間に配置された水抜き層と、を有し、前記水抜き層は、前記底部の収納層から前記上部の収納層を離し、前記複数の人工部材のファイバは、前記水抜き層を横断する織り方によって前記マットに連結される。
【００４２】
特に、水抜き層は、さらに、ダンピング作用を行う。さらに、詳細には、水抜き層の厚さは、必要に応じて、特に、所望のダンピング作用で選択される。
【００４３】
好適には、水抜き層は、プラスチック部材の織りあわされたフィラメントの３次元の網状形状を有するので、織りあわされたフィラメントは、隙間のある、弾性的な圧縮層を形成する。
【００４４】
特に、プラスチック部材のフィラメントは、０．２乃至１．５ｍｍの間の、好適には０．５及び１ｍｍの間の、好ましくは０．８及び０．９ｍｍの間の直径幅を有し得る。
【００４５】
本発明のその他の態様で、スポーツ、レクリエーションか活動、及び／若しくは、観賞のための芝を作成するための方法は、互いに対向する第１及び第２の面を有する柔軟部材のマットと、多角形の断面を有する主ブレードと、前記主ブレードの少なくとも一部分の側面から延伸する湾曲形状を有する側面ウィングと、前記側面ウィングの湾曲形状により規定され、前記主ブレードの長手方向に対して実質的に平行に形成されるチャンネルと、を備えて、前記第１の面から伸び出る人工芝となるように前記マットに結合される人工部材の複数のファイバと、前記複数のファイバを実質的に垂直に維持するように、前記第１の面上に頒布されて層形状を成す充填部材と、で構成される人工芝に、前記充填部材内に根付き、少なくとも１つの植物の種に属する複数の植物を有する天然芝を混合させる芝を作成するための方法であって、前記人工部材のファイバの少なくとも一部分は、前記充填層から少なくとも５ｍｍ伸び出るように連結され、前記ファイバを実質的に垂直に維持する、充填部材を前記マットの前記第１の面上に頒布して層状に形成し、前記充填部材内に植物の種に属する種子及び／若しくは植物部分を植え付けて、前記ファイバの高さを超える、前記充填部材内に根付いた天然芝を得るために前記植物の種の成長を補助する、工程を具備することを特徴とする。
【００４６】
特に、種子、及び／若しくは、植物の種の植物の部分は、種まきと、移植と、これらの組み合わせと、を有するグループから選択されるような第１のマットに設置され得る。
【００４７】
好適には、解された充填部材の頒布するための工程は、少なくとも１つのゴム、特に、植物由来のゴム、若しくは合成のゴムの粒状の層に頒布する。
【００４８】
特に、充填層は、無機由来の部材、例えば、砂、若しくは、砂利を有し得る。  
好適には、充填層は、植物由来の有機物質を有し、植物由来の有機物質は植物の種の成長の物質を供給し得る。
【００４９】
好適には、少なくとも１つの人工物質のファイバは、充填層から少なくとも５ｍｍ突出し、植物の種は、充填層から５ｍｍよりも高い高さで切られる。
【００５０】
本発明は、以下の添付された図面に関連して、制限的ではなく例示し、後述の本発明の実施形態の記載で示されるだろう。
【図面の簡単な説明】
【００５１】
【図１】図１は、本発明に係る、混合芝の部分を図式的に示す斜視図である。
【図２】図２は、図１の混合芝を設けられた人工部材のブレードの本発明の一態様の横断面図である。
【図３】図３は、図１の混合芝を設けられた人工部材のブレードの本発明の一態様の横断面図である。
【図４】図４は、図１の混合芝を設けられた人工部材のブレードの本発明の一態様の横断面図である。
【図５】図５は、図１の混合芝を設けられた人工部材のブレードの本発明の一態様の横断面図である。
【図６】図６は、図１の混合芝を設けられた人工部材のブレードの本発明の一態様の横断面図である。
【図７】図７は、図1の混合芝を設けられた人工部材のファイバの技術的態様の図式的に示された斜視図である。
【図８】図８は、図1の混合芝を設けられた人工部材のファイバの技術的態様の図式的に示された斜視図である。
【図９】図９は、図1の混合芝を設けられた人工部材のファイバの技術的態様の図式的に示された斜視図である。
【図１０】図１０は、図１の混合芝を設置するために適用されたマットの３種類の一態様の横断面図である。
【図１１】図１１は、図１の混合芝を設置するために適用されたマットの３種類の一態様の横断面図である。
【図１２】図１２は、図１の混合芝を設置するために適用されたマットの３種類の一態様の横断面図である。
【発明を実施するための形態】
【００５２】
図１に関連して、スポーツ、レクリエーション及び／若しくは観賞のための混合芝１は、互いに対向する第１の表面１１、及び、第２の表面１２を備える柔軟部材であるマット１０を有する。マット１０に人工物の複数のファイバが、特に、周知の作成工程によって、備え付けられ、このような方法は、第１の表面１１から突出する人工芝５０を形成するのに向いている。
【００５３】
さらに、芝１は、マット１０の表面１１に解された充填部材５０、例えば、粒状の所定の量を含んでいる。特に、充填部材５０は、実質的に人工ファイバ２０を垂直に維持し、芝１の水を抜く２つの機能を有する。
【００５４】
芝１は、１若しくは複数の植物の種３０に属する天然素材で仕上げられ、芝１は、種まき、植物の一部分の移植、若しくは、２つの方法の組み合わせによって弛緩充填部材５０に植え付けられ得る。もっと正確に言えば、植物の種３０は、柔軟部材であるマット１０の上に根をはり、即ち、植物の種３０の根１０１は、マット１０を通り抜けない。このように、幾つかの所望の種類の表面、例えば、アスファルト、コンクリート、安定した不活性物質上に混合芝１を置くことができる。さらに、この一例の実施形態は、据え付け位置に栽培場所の混合芝１を動かすことに役立つ。
【００５５】
図１に示された一例の実施形態で、弛緩充填部材５０は、層５１を形成するために面１１上に頒布されたゴム及び／若しくはプラスチック部材の粒から成り得る。さらに詳細に、ゴムは、天然ゴム若しくは生ゴム、シリコンゴム、ＳＢＲ、ＥＰＤＭ、ＳＢＳ、ＳＥＢＳ、若しくはこれらの合成から成るグループから選択され得る。
【００５６】
さらに、弛緩充填部材５０は、砂、砂利若しくはこれらの組み合わせのような無機物質から成り得る。層５１の下方に配置された層５２を形成するために、原料鉱石は、ゴム部材及び／若しくはプラスチック部材を敷く前にマット１０の面１１上に頒布され得る。また、弛緩充填部材５０は、材料鉱石及びゴム及び／若しくはプラスチック部材の異種物の集合体であり得る。
【００５７】
さらなる一例の実施形態で、充填部材５０は、さらに、所定の量の植物由来の有機物質を有している。例えば、植物１５の無性生殖の成長のための物理化学状態に適した層５３を生成するために、植物由来の有機物質は、ゴム及び／若しくはプラスチック部材の層５１上に頒布され得る。植物由来の有機物質は、例えば、コルク、ココナッツ繊維、リュウゼツラン繊維、穀物殻例えば米殻、泥炭、木屑、植物のかす、ブドウの種子（ブドウのヴィニヘラ種（vinifera）の種子）、植物の死んだ種子、農業及び食料のかす、堆肥、有機の調整剤、有機肥料、ひづめ及び角の粉末、焼いた革のカス、植物の廃棄物、及び、一般的な粒状及び／若しくは不揃いの繊維の所望の植物由来の有機物質であり得る。
【００５８】
本発明に従って、図２乃至９に示されるように、人工物のファイバ２０は、主ブレード２１と少なくとも側面のウィング２２とを備えた外形形状を有する。特に、側面のウィング２２は、主ブレード２１に連結された基端部２２’、基端部２２’に対向する末端部２２”及び基端部２２’及び末端部２２”の間の中央部２２’’’を有する。さらに詳細に、側面のウィング２２は、主ブレード２１に実質的に平行に配置された略閉塞２５を形成するために適した湾曲形状を有する。
【００５９】
図２に示す一例の実施形態において、ウィング２２の末端部２２”は、中央部２２’’’及び主ブレード２１から離れて設置され、このため略閉塞チャンネル２５’を規定する。
【００６０】
図３の示す一例の実施形態において、また、末端部２２”は、この場合に、略閉塞チャンネル２５’を規定するために、中央部２２’’’にほとんど到達するまでにウィング２２に向かって屈曲される。
【００６１】
図４に示す一例の実施形態において、また、末端部２２”は、略閉塞チャンネル２５”を共に規定する主ブレード２１に隣接するようにするために屈曲される。
【００６２】
本発明のさらなる一例の実施形態で、図５に示されるように、人工ファイバ２０は、主ブレード２１に関連して対向する側面に配置された第１のウィング２２ａと第２のウィング２２ｂとを有する。さらに詳細に、主ブレード２１は、多角形の断面を有し得るし、決められた頂点の数を有する。例えば、主ブレード２１は、４つの頂点２１ａ乃至２１ｄを有する実質的に長方形断面を有する（図５及び６）。この場合、ウィング２２ａ及び２２ｂは、対向する頂点２１ａ及び２１ｂの主ブレード２１から夫々突出する。各ウィング２２ａ乃至２２ｂは、主ブレード２１に対して実質的に平行な各チャンネル２５ａ及び２５ｂをこの場合に規定する（図５）
【００６３】
図６の一例の実施形態において、４つの側面のウィング２２ａ乃至２２ｄは、主ブレード２１の各頂点２１ａ乃至２１ｄから延出するように設置される。
【００６４】
全ての前述の異なる一例の実施形態において、チャンネル２５は、充填部材５０に吸収された、かんがい用水、若しくは雨水の所定の量を維持するように適用される。これは、植物の種３０の無性生殖の成長にとって湿潤性の良好な状態を与える（図７）。
【００６５】
ファイバ２０は、好適には、所望の形状に対応する形状の型を適用するプラスチック部材の押し出し成形の工程から得られる（図８）。プラスチック部材のファイバ２０は、“Ｕ”のように屈曲され、例えば、織り込まれることによって、マット１０に植え付けられる（図９）。
【００６６】
図１１に示されるように本発明の一例の実施形態において、（スポンジ部材の追加があろうがなかろうが）マット１０の第２の面１２は、不浸透性部材１３の層に固定される。特に、プラスチック部材のファイバ３０は、固定された、例えば、不浸透性部材１３の層に拡張することによって埋め込まれた、編み方を形成するマット１０上に織り込まれる。これは、栽培場所、若しくは設置場所の表面６０に浸み込み、到達する水分を防ぐポリウレタン樹脂で作成される。従って、植物の種３０は、不浸透性層１３上にだけに根を付ける。
【００６７】
図１１の一例の実施形態において、プラスチック部材の織り込まれたファイバ３０が拡がるマット１０は、上部の収納層１０’、底部の収納層１０”、及び、所定の距離でこれらを維持するために、当該層１０’及び当該層１０”の間に配置された水抜き層１０’’’を有する。水を流すことに加えて水抜き層１０’’’は、本発明に係る、スポーツ芝土の表面のような混合芝に適用されるための特筆する特徴を混合芝に与える湿気効果も有する。
【００６８】
水抜き層１０’’’は、プラスチック部材の不規則に織りあわされたフィラメントの３次元の網状組織であり、弾力反応を与える性能であり得る。特に、プラスチック部材のフィラメントは、０．２乃至１．５ｍｍの間、適当には０．５乃至１．０ｍｍ、好適には０．８乃至０．９ｍｍの間の直径幅を有し得る。
【００６９】
最後に、図１２において、さらなる一例の実施形態は、マット１０は、図１及び３に関連して前述されるように作成されることが示され、更に層１３は、底部の層１０”の底面１２”に連結された不浸透部材に設けられる。
【００７０】
詳細な実施形態の前述の記載は、現在の知識で適用されるその他の発明のように、目的の概念に係る発明を十分に開示するだろうし、修正、及び／若しくは、更なる調査なしで、且つ、本発明から分割されないような実施形態に種々のアプリケーションを適用することができるだろうし、このような適応及び修正は、詳細な実施形態と同等物のように考えられるだろうことが分かる。従って、ここで記述された異なる機能を実現するための手段及び材料は、本発明の分野から逸脱しない異なる性質を有しうる。ここで用いられた表現若しくは用語は記述のためであって、限定のためではないことは理解される。
【図１】
0005612114.tif 000002
【図２】
0005612114.tif 000003
【図３】
0005612114.tif 000004
【図４】
0005612114.tif 000005
【図５】
0005612114.tif 000006
【図６】
0005612114.tif 000007
【図７】
0005612114.tif 000008
【図８】
0005612114.tif 000009
【図９】
0005612114.tif 000010
【図１０】
0005612114.tif 000011
【図１１】
0005612114.tif 000012
【図１２】
0005612114.tif 000013